(57)【要約】【課題】筺体サイズを大きくすることなく、デザイン性を向上させるようにする。【解決手段】携帯電話機１の体裁面３１は、樹脂材料、塗装、あるいはUV硬化樹脂コーティングなどで成形されている。飾り板４０の体裁面４１は、シリコンゴムやウレタンゴムなどのゴム系材料、あるいは、ABS材、PET材、エラストマ材、あるいは皮革材などで成形されている。飾り板４０の裏面４２は、シリコン系の微粘着素材などが接着、一体成形、あるいは塗布などによる一体化で成形されている。これらの材質により、携帯電話機１に対する飾り板４０の繰り返し着脱が可能とされるとともに、携帯電話機１のデザイン性が向上される。本発明は、携帯電話機に適用することができる。【選択図】図２
2005086311.tif 000002
【特許請求の範囲】
【請求項１】
着脱可能な飾り板が粘着素材で筺体に取り付けられる
ことを特徴とする電子機器。
【請求項２】
前記電子機器は、携帯電話機により構成される
ことを特徴とする請求項1に記載の電子機器。
【請求項３】
前記粘着素材は、シリコン系の微粘着素材である
ことを特徴とする請求項１に記載の電子機器。
【請求項４】
前記筺体には、ICカードが埋め込まれている
ことを特徴とする請求項１に記載の電子機器。
【発明の詳細な説明】
【技術分野】
【０００１】
本発明は、電子機器に関し、特に、例えば、デザイン性や耐衝撃性を向上させるための飾り板を取り付けることができるようにした電子機器に関する。
【背景技術】
【０００２】
近年の携帯電話機は、電話機能や電子メール機能を搭載するだけでなく、例えば、デジタルカメラ機能やテレビ電話機能などが搭載されてきており、様々な場面での使用が可能になってきている。
【０００３】
また、携帯電話機に着脱可能な飾り板を取り付け、デザイン性を向上させるようにしているものもある。
【０００４】
ところで、意匠性や耐摩耗性を有する成形用シートを製造するとともに、その成形用シートを用いて成形品を製造する技術が提案されている（例えば、特許文献１参照）。
【０００５】
【特許文献１】特開２００３−２２６７２６号公報
【発明の開示】
【発明が解決しようとする課題】
【０００６】
従来の飾り板は、爪構造やボス圧入構造などで、携帯電話機に取り付けられているため、携帯電話機の体裁面に、予め、飾り板を取り付けるための爪構造やボス穴形状などを設ける必要があった。
【０００７】
また、爪やボス穴などを設けることにより、携帯電話機のサイズが大きくなる課題があった。
【０００８】
本発明はこのような状況に鑑みてなされたものであり、携帯電話機のサイズを大きくすることなく、デザイン性を向上させることができるようにするものである。
【課題を解決するための手段】
【０００９】
本発明の電子機器は、着脱可能な飾り板が粘着素材で筺体に取り付けられることを特徴とする。
【００１０】
前記電子機器は、携帯電話機により構成することができる。
【００１１】
前記粘着素材は、シリコン系の微粘着素材とすることができる。
【００１２】
前記筺体には、ICカードが埋め込まれているようにすることができる。
【００１３】
本発明においては、着脱可能な飾り板が粘着素材で筺体に取り付けられる。
【発明の効果】
【００１４】
本発明によれば、デザイン性を向上させることができる。特に、携帯電話機のサイズを大きくすることなく、デザイン性や耐衝撃性を向上させることが可能となる。
【発明を実施するための最良の形態】
【００１５】
以下に本発明を実施するための最良の形態を説明するが、明細書中に記載の発明と、実施の形態との対応関係を例示すると、次のようになる。明細書には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１６】
さらに、この記載は、明細書に記載されている実施の形態に対応するすべての発明が、記載されていることを意味するものではない。換言すれば、この記載は、明細書に記載されている他の発明の存在、すなわち、将来、分割出願されたり、補正により出現、追加される発明の存在を否定するものではない。
【００１７】
本発明は、着脱可能な飾り板（例えば、図２の飾り板４０）が粘着素材で筺体に取り付けられることを特徴とする電子機器を提供する。
【００１８】
この電子機器は、携帯電話機（例えば、図１の携帯電話機１）により構成するようにすることができる。
【００１９】
また、この電子機器の粘着素材は、シリコン系の微粘着素材とすることができる。
【００２０】
さらに、この電子機器の筺体には、ICカード（例えば、図５のICカード８１）が埋め込まれているようにすることができる。
【００２１】
以下に、本発明の実施の形態について図面を参照して説明する。
【００２２】
図１は、本発明を適用した携帯電話機１の外観の構成例を示す図である。図１に示されるように、携帯電話機１は、基本的に、表示部１２および本体１３から構成され、中央のヒンジ部１１により折り畳み可能に形成されている。
【００２３】
表示部１２の上端左部には、アンテナ２１が設けられており、このアンテナ２１を介して、基地局（図示せず）との間で電波が送受信される。表示部１２の上端近傍には、スピーカ２２が設けられており、スピーカ２２から音声が出力される。
【００２４】
表示部１２のほぼ中央には、LCD（Liquid Crystal Display）２３が設けられている。LCD２３には、電波の受信状態、電池の残量、電話帳として登録されている氏名や電話番号、および発信履歴の他、入力ボタン２７が操作されることにより作成された文章（電子メールとして送信する文章）などが表示される。
【００２５】
一方、本体１３には、「０」乃至「９」の数字ボタン（テンキー）、「＊」ボタン、「♯」ボタンからなる入力ボタン２７が設けられている。ユーザは、この入力ボタン２７を操作することで、例えば、電子メールとして送信する文章やメモ帳などを作成することができる。
【００２６】
本体１３の入力ボタン２７の上方中央には、水平方向（筐体の左右方向）を軸として回転自在なジョグダイヤル２４が、本体１３の表面から僅かに突出した状態で設けられている。例えば、このジョグダイヤル２４に対する回転操作に応じて、LCD２３に表示されている電子メールのスクロール等が行われる。ジョグダイヤル２４の左右には、左方向ボタン２５、および右方向ボタン２６がそれぞれ設けられている。本体１３の下方近傍には、マイクロフォン２８が設けられており、ユーザの音声が集音される。
【００２７】
図２は、携帯電話機１を折り畳んだ状態の外観の構成例を示す図である。
【００２８】
図２に示されるように、携帯電話機１を折り畳んだ状態において、その筺体の体裁面３１には、飾り板４０が取り付け可能になされている。飾り板４０は、携帯電話機１のデザイン性および耐衝撃性を向上させるためのものであって、携帯電話機１の体裁面３１に設けられているLCD３２を覆わないような形状とされる。
【００２９】
携帯電話機１の体裁面３１は、ポリプロピレン系樹脂、アクリル系樹脂、ウレタン系樹脂、およびエポキシ系樹脂などの樹脂材料、塗装、あるいは、UV（Ultraviolet）硬化樹脂コーティングなどで成形されている。なお、本願発明において、体裁面３１の成形樹脂素材の種類は特に問わない。
【００３０】
飾り板４０の体裁面４１は、シリコンゴムまたはウレタンゴムなどよりなるゴム系材料で成形されている。なお、本願発明において、体裁面４１の成形ゴム素材の種類は特に問わない。また、その体裁面４１をABS（Acrylonitrile Butadiene Styrene）材、PET（Polyethylene Terephthalate）材、エラストマ材、あるいは皮革材などで成形することにより、携帯電話機１のデザイン性を向上させることもできる。飾り板４０の裏面４２は、シリコン系の微粘着素材などが接着、一体成形、あるいは塗布などによる一体化で成形されている。このシリコン系の微粘着素材は、粘着面に異物が付着し、その粘着力が低下したとしても、水洗浄して再使用可能な材質とされ、その種類は特に問わない。なお、ゴム系材料やシリコン系の微粘着素材は、衝撃吸収性に優れた材料である。
【００３１】
これらの材質により、携帯電話機１の体裁面３１に飾り板４０を接着することができるとともに、携帯電話機１の体裁面３１に接着されている飾り板４０を再剥離することができる。すなわち、携帯電話機１に対する飾り板４０の繰り返し着脱が可能とされる。
【００３２】
図３は、携帯電話機１の内部の構成例を示すブロック図である。
【００３３】
CPU（Central Processing Unit）５１は、ROM(Read Only Memory)５２に記憶されている制御プログラムをRAM（Random Access Memory）５３に展開し、バス５６を介して携帯電話機１の全体の動作を制御する。例えば、CPU５１は、文章を作成することがユーザにより指示されたとき、所定の文章作成プログラムを起動させ、表示制御部５５を制御し、文章作成画面をLCD２３に表示させる。
【００３４】
通信制御部５４は、アンテナ２１を介して基地局（図示せず）との間で電波を送受信し、例えば、音声通話モード時において、アンテナ２１で受信されたRF（Radio Frequency）信号を増幅して周波数変換処理、アナログディジタル変換処理、スペクトラム逆拡散処理等の所定の処理を施し、得られた音声データを音声コーデック５８に出力する。また、通信制御部５４は、音声コーデック５８から音声データが供給されてきたとき、ディジタルアナログ変換処理、周波数変換処理、およびスペクトラム拡散処理等の所定の処理を施し、得られた音声信号をアンテナ２１から送信する。
【００３５】
表示制御部５５は、LCD２３およびLCD３２を制御し、各種情報をテキストやイメージなどで表示させる。
【００３６】
入力部５７は、ジョグダイヤル２４、左方向ボタン２５、右方向ボタン２６、および入力ボタン２７等により構成され、それらに対するユーザの操作を検出し、それらのボタンが押下されたとき、対応する信号をCPU５１に出力する。
【００３７】
音声コーデック５８は、通信制御部５４から供給されてきた音声データを音声信号に変換し、対応する音声信号をスピーカ２２から出力する。また、音声コーデック５８は、マイクロフォン２８により集音されたユーザの音声を音声データに変換し、それを通信制御部５４に出力する。
【００３８】
折り畳み検出部５９は、図１のヒンジ部１１の近傍に設けられ、携帯電話機１の開閉状態を監視し、開かれた状態から折り畳まれたことを検出したとき、または、折り畳まれた状態から開かれたことを検出したとき、それをCPU５１に通知する。
【００３９】
バス５６には、必要に応じてドライブ６０が接続され、磁気ディスク、光ディスク、光磁気ディスク、あるいは、半導体メモリなどのリムーバブルメディア６１が適宜装着され、それから読み出されたコンピュータプログラムが、必要に応じて携帯電話機１にインストールされる。
【００４０】
以上のように構成される携帯電話機１は、接着により飾り板４０を取り付ける構造であるため、携帯電話機１の体裁面３１に爪構造やボス穴形状を設ける必要がなくなる。従って、飾り板４０の取り外し時における携帯電話機１のデザイン性を損なうことなく、かつ、携帯電話機１のサイズを大きくせずに済む。
【００４１】
なお、携帯電話機１の体裁面３１に爪構造やボス穴形状を設けるようにして、飾り板４０の取り付け構造を強化するようにしてもよい。
【００４２】
また、飾り板４０の体裁面４１をシリコンゴムまたはウレタンゴムなどよりなるゴム系材料で成形することにより、携帯電話機１への装着時に、携帯電話機１の体裁面３１の傷つきを防止することができる。
【００４３】
さらに、飾り板４０の体裁面４１をゴム系材料で成形するとともに、裏面４２をシリコン系の微粘着素材で一体成形することにより、衝撃吸収性に優れるため、携帯電話機１の耐衝撃性を向上させることができる。
【００４４】
ところで、図４に示されるように、携帯電話機１のLCD３２が、体裁面３１のほぼ中央に位置するように設けられている場合、この携帯電話機１に取り付けられる飾り板４０のほぼ中央には、LCD３２を覆わないような開口部７１が形成される。このように、LCD３２が設けられる位置に応じて、飾り板４０には、そのLCD３２を覆わないような開口部７１が形成される。
【００４５】
また、上述したように、飾り板４０の体裁面４１をゴム系材料で成形するとともに、裏面４２をシリコン系の微粘着素材で一体成形することにより、衝撃吸収性に優れるため、例えば、図５に示されるように、Felica（登録商標）などのICカード８１が埋め込まれた携帯電話機１に、この飾り板４０を取り付けることで、ICカード使用時における衝撃吸収部材として用いるようにすることが可能となる。
【００４６】
以上においては、携帯電話機１に取り付けられる飾り板４０を例に挙げて説明したが、本願発明はこれに限られるものではなく、例えば、携帯型のMD（Mini Disc）プレイヤやCD（Compact Disc）プレイヤ、あるいは、その他の電子機器に広く適用することが可能である。その場合における飾り板４０は、当然のことながら、各種電子機器の筺体サイズに合うように成形される。
【図面の簡単な説明】
【００４７】
【図１】本発明を適用した携帯電話機の外観の構成例を示す図である。
【図２】携帯電話機を折り畳んだ状態の外観の構成例を示す図である。
【図３】携帯電話機の内部の構成例を示すブロック図である。
【図４】飾り板に開口部が形成される場合の構成例を示す図である。
【図５】ICカードが埋め込まれた携帯電話機の構成例を示す図である。
【符号の説明】
【００４８】
１  携帯電話機，  ３１  体裁面，  ３２  LCD，  ４０  飾り板，  ４１  体裁面，  ４２  裏面
【図１】
2005086311.tif 000003
【図２】
2005086311.tif 000004
【図３】
2005086311.tif 000005
【図４】
2005086311.tif 000006
【図５】
2005086311.tif 000007